(57)【特許請求の範囲】
【請求項１】
互いに対向する一方の一対の枠部及び互いに対向する他方の一対の枠部を有していると共に天窓開口を囲繞する天窓枠体と、天窓開口を開閉するように天窓枠体に対して天窓開口に直交する方向に接近離反自在に配されると共に互いに対向する一対の枠部を有する天窓本体と、長手方向に対して交差する一方の方向に可撓であって長手方向に対して交差する他方の方向に不撓であると共に一端部で天窓本体の一対の枠部のうちの一方の枠部に連結されている第一のチェーン及び長手方向に対して交差する一方の方向に可撓であって長手方向に対して交差する他方の方向に不撓であると共に一端部で天窓本体の一対の枠部のうちの他方の枠部に連結されている第二のチェーンを有していると共に天窓本体を天窓枠体に対して接近離反させる接近離反手段と、第一及び第二のチェーンの夫々の一端部と他端部との間の中間部において当該第一及び第二のチェーンの長手方向に当該第一及び第二のチェーンに走行力を加えて、接近離反手段による天窓枠体に対する天窓本体の接近離反を行わせるように当該接近離反手段を作動させる作動手段と、接近離反手段による天窓枠体に対する天窓本体の接近離反を案内するように天窓枠体及び天窓本体に連結されている案内連結手段とを具備しており、第一及び第二のチェーンの夫々は、作動手段から加えられる走行力によって天窓本体を押して天窓枠体から天窓本体を離反させるように、一端部と中間部との間で不撓状態に設定されるようになっており、作動手段は、天窓枠体の一方の一対の枠部のうちの一方の枠部に配された回転伝達軸と、この回転伝達軸の一方の端部に第一のベベルギヤユニットを介して一端部で連結されていると共に天窓枠体の他方の一対の枠部のうちの一方の枠部に配された第一の回転軸と、回転伝達軸の他方の端部に第二のベベルギヤユニットを介して一端部で連結されていると共に天窓枠体の他方の一対の枠部のうちの他方の枠部に配された第二の回転軸と、接近離反手段を作動させる作動力を発生すると共に出力回転軸を有した作動源と、第一のチェーンに噛み合う第一のスプロケットホイールと、第二のチェーンに噛み合う第二のスプロケットホイールとを具備しており、作動源の出力回転軸の回転で回転伝達軸並びに第一及び第二の回転軸が回転されるようになっており、第一及び第二の回転軸の回転による第一及び第二のスプロケットホイールの回転で第一及び第二のチェーンに走行力を加えるようになっている天窓開閉装置。
【請求項２】
案内連結手段は、一端部では天窓枠体に回転自在に連結されていると共に他端部では天窓本体に直動自在であって回転自在に連結されている一方のアーム部材と、一端部では天窓枠体に直動自在であって回転自在に連結されていると共に他端部では天窓本体に回転自在に連結されており、中間部で一方のアーム部材の中間部に交差すると共に回転自在に連結されている他方のアーム部材とを具備している請求項１に記載の天窓開閉装置。
【請求項３】
少なくとも天窓本体の自重に抗して天窓本体を天窓枠体に対して離反させる弾性力を案内連結手段を介して天窓本体に付与する弾性力付与手段を具備している請求項１又は２に記載の天窓開閉装置。
【請求項４】
弾性力付与手段は、天窓本体を天窓枠体に対して離反させる弾性力を発生するコイルばねを有している請求項３に記載の天窓開閉装置。
【請求項５】
作動手段は、作動源としての直流電動モータと、この直流電動モータを制御する制御手段とを具備している請求項１から４のいずれか一項に記載の天窓開閉装置。
【請求項６】
制御手段は、直流電動モータの過電流を検出する検出手段を具備しており、この検出手段からの検出結果により直流電動モータの作動を停止するようになっている請求項５に記載の天窓開閉装置。
【発明の詳細な説明】
【技術分野】
【０００１】
本発明は、建物の屋上等に彩光、排煙、換気を行うために設置される天窓開口を開閉する天窓開閉装置に関する。
【背景技術】
【０００２】
【特許文献１】特開平１１−１１７４７２号公報
【０００３】
建物の屋上等には、採光、排煙及び換気を行う目的のための天窓開口が設けられるのであるが、特許文献１には、斯かる天窓開口を囲繞する天窓枠体の一縁と天窓本体の一縁とを蝶番等により枢着して天窓枠体に対して天窓本体を片開的に回動自在に連結し、天窓枠体の他縁と天窓本体の他縁との間にプッシュプルチェーンを張設して天窓開口を開閉する天窓開閉装置が提案されている。
【発明の開示】
【発明が解決しようとする課題】
【０００４】
ところで、天窓開閉装置は、天窓開口を開閉するようにして建物の屋外に設置される結果、当然に強風等の自然環境に曝されることになり、これに対して十分な対策を施す必要がある。
【０００５】
特許文献１のような片開的な構造では、風向きによって換気や排煙の状態が悪くなる場合があると共に開放側からの強風により天窓本体が風をはらむため、天窓本体に大きな風圧が作用し、天窓本体及びこれを支持する部材等に大きな回転モーメントが生じて天窓本体及びこれを支持する部材等が破損する虞を有する。
【０００６】
本発明は、前記諸点に鑑みてなされたものであって、その目的とするところは、風向きに影響をそれ程受けないで換気又は排煙を行い得る上に、天窓本体に大きな風圧が作用しないようし得て大きな回転モーメントに起因する天窓本体及びこれを支持する部材等の破損を防止し得る天窓開閉装置を提供することにある。
【課題を解決するための手段】
【０００７】
本発明の天窓開閉装置は、天窓開口を囲繞する天窓枠体と、天窓開口を開閉するように天窓枠体に対して天窓開口に直交する方向に接近離反自在に配される天窓本体と、この天窓本体を天窓枠体に対して接近離反させる接近離反手段と、この接近離反手段による天窓枠体に対する天窓本体の接近離反を行わせるように当該接近離反手段を作動させる作動手段と、接近離反手段による天窓枠体に対する天窓本体の接近離反を案内するように天窓枠体及び天窓本体に連結されている案内連結手段とを具備している。
【０００８】
本発明の天窓開閉装置によれば、天窓枠体が天窓本体に対して直交する方向に接近離反するようになっているために、天窓開口の開放において天窓枠体と天窓本体との間に方向性を有しない均等な隙間からなる通路を形成でき、斯かる通路を介して建物内から四方に排気できると共に四方から外気を建物内に取込める結果、風向きによる影響をそれ程受けないで換気又は排煙を行い得る上に、天窓本体への大きな風圧の作用を低減できて大きな回転モーメントに起因する天窓本体及びこれを支持する部材等の破損を防止し得る。
【０００９】
案内連結手段の好ましい一例は、一端部では天窓枠体に回転自在に連結されていると共に他端部では天窓本体に直動自在であって回転自在に連結されている一方のアーム部材と、一端部では天窓枠体に直動自在であって回転自在に連結されていると共に他端部では天窓本体に回転自在に連結されており、中間部で一方のアーム部材の中間部に交差すると共に回転自在に連結されている他方のアーム部材とを具備している。
【００１０】
斯かる例によれば、天窓開口の閉鎖において案内連結手段を天窓枠体に沿って収納できて、収納空間を小さくできる。
【００１１】
本発明の好ましい一例は、少なくとも天窓本体の自重に抗して天窓本体を天窓枠体に対して離反させる弾性力を案内連結手段を介して天窓本体に付与する弾性力付与手段を具備している。
【００１２】
弾性力付与手段を具備している本例によれば、天窓本体を天窓枠体から離反させるための作動手段の作動力を少なくでき、天窓本体を天窓枠体に接近させるための作動手段の作動力との均衡を図ることができる結果、大きな作動力をもった作動手段を用いなくてもよくなる。
【００１３】
弾性力付与手段は、天窓本体を天窓枠体に対して離反させる弾性力を発生するコイルばねを有していてもよいが、本発明は、斯かるコイルばねを有した弾性力付与手段に限定されず、例えばコイルばねに代えて又はコイルばねと共に空気ばねを有した弾性力付与手段であってもよい。
【００１４】
接近離反手段の好ましい一例は、長手方向に対して交差する一方の方向に可撓であって長手方向に対して交差する他方の方向に不撓であると共に一端部で天窓本体に連結されているチェーンを具備しており、この場合、作動手段は、チェーンの一端部と他端部との間の中間部において当該チェーンの長手方向に当該チェーンに走行力を加えるようになっており、チェーンは、作動手段から加えられる走行力によって天窓本体を押して天窓枠体から天窓本体を離反させるように、一端部と中間部との間で不撓状態に設定されるようになっているとよい。
【００１５】
斯かるチェーン（プッシュプルチェーン）を用いた接近離反手段によれば、接近離反手段の収納空間を小さくできる上に、作動手段の作動力を効率よく天窓本体に対する離反力に変換できる。
【００１６】
作動手段の好ましい一例は、接近離反手段を作動させる作動源としての直流電動モータと、この直流電動モータを制御する制御手段とを具備している。
【００１７】
作動源として直流電動モータ及び制御手段を用いることにより、接近離反手段を作動させて天窓開口を自動で開閉させることができる上に、効率よく作動力を生じさせることができる。
【００１８】
制御手段の一例は、直流電動モータの過電流を検出する検出手段を具備しており、この検出手段からの検出結果により直流電動モータの作動を停止するようになっている。
【００１９】
直流電動モータの過電流を検出して、この検出結果により直流電動モータの作動を停止するようにした制御手段によれば、天窓本体の天窓枠体への押しつけで天窓本体を停止するため、天窓開口の閉鎖において天窓枠体と天窓本体との間の隙間をなくし得て、密封状態で天窓開口を閉鎖することができる。
【発明の効果】
【００２０】
本発明の天窓開閉装置によれば、風向きに影響をそれ程受けないで換気又は排煙を行い得る上に、天窓本体に大きな風圧が作用しないようにし得て大きな回転モーメントに起因する天窓本体及びこれを支持する部材等の破損を防止し得る天窓開閉装置を提供することができる。
【発明を実施するための最良の形態】
【００２１】
次に本発明及びその実施の形態を、図に示す好ましい例に基づいて更に詳細に説明する。なお、本発明はこれら例に何等限定されないのである。
【００２２】
図１から図１０において、本例の天窓開閉装置１は、建物２の屋上３に採光、排煙及び換気用の矩形形状又は円形状等の天窓開口４を囲繞するように配された天窓枠体５と、屋上３に形成された天窓開口４を開閉するように天窓枠体５に対して天窓開口４に直交する方向（天窓開口４の開口方向）、即ち、上下方向であるＶ方向に接近離反自在に配される矩形状の天窓本体６と、天窓本体６を天窓枠体５に対してＶ方向に接近離反させる接近離反手段７と、接近離反手段７による天窓枠体５に対する天窓本体６のＶ方向の接近離反を行わせるように接近離反手段７を作動させる作動手段８と、接近離反手段７による天窓枠体５に対する天窓本体６のＶ方向の接近離反を案内するように天窓枠体５及び天窓本体６に連結されている案内連結手段９と、天窓本体６の自重に抗して天窓本体６を天窓枠体５からＶ方向に離反させる弾性力を案内連結手段９を介して天窓本体６に付与する弾性力付与手段１０と、天窓本体６による天窓開口４の閉鎖において天窓枠体５及び天窓本体６の間の隙間を封止する封止手段１１とを具備しており、接近離反手段７、作動手段８及び案内連結手段９により天窓本体６を天窓枠体５に対してＶ方向に接近離反させて天窓開口４を開閉するようになっている。
【００２３】
建物２の屋上３に下面で固定されている角筒状の天窓枠体５は、互いに対面して平行に伸びた一方の一対の枠部２１及び２２と、枠部２１及び２２に直交していると共に互いに対面して平行に伸びた他方の一対の枠部２３及び２４とを一体的に具備している。
【００２４】
天窓本体６は、矩形状の上枠２５と、上枠２５の上部に嵌め込まれた採光用のガラス板２６と、上枠２５の下部に嵌め込まれた角筒状の下枠２７と、上枠２５の周縁部２８に一体的に形成された雨除け用の庇部２９とを具備している。
【００２５】
下枠２７は、天窓枠体５の枠部２１及び２２に対応した枠部３１及び３２と、天窓枠体５の枠部２３及び２４に対応した枠部３３及び３４とを一体的に具備している。
【００２６】
接近離反手段７は、枠部２３側と枠部２４側との夫々に設けられており、枠部２３側の接近離反手段７と枠部２４側の接近離反手段７とは互いに同様に形成されており、案内連結手段９もまた、枠部２１側と枠部２２側との夫々に互いに同様に形成されて設けられているので、以下、枠部２４側の接近離反手段７及び枠部２２側の案内連結手段９を詳細に説明して、枠部２３側の接近離反手段７及び枠部２１側の案内連結手段９は必要に応じて説明する。
【００２７】
枠部２４側の接近離反手段７は、枠部２４の内側面４１に固着された支持板４２と、支持板４２に固着されたケース４３と、ケース４３内に案内収容されるようになっていると共に長手方向に対して交差する一方の方向であるＨ１方向（図１２参照）に可撓であって長手方向に対して交差する他方の方向であるＨ２方向（図１２参照）に対して不撓であり、一端部４４で天窓本体６に連結されているチェーン（プッシュプルチェーン）４６と、チェーン４６の一端部４４を天窓本体６に連結する連結手段４８とを具備している。
【００２８】
チェーン４６を収容するケース４３は、特に図８に示すように、チェーン４６の一端部４４を挿通させる開口５０を上壁部５１に有したケース本体５２と、ケース本体５２内に収容されたチェーン４６を案内するようにケース本体５２に設けられた案内板５３と、ケース本体５２に設けられていると共にチェーン４６の他端部５４がＲ１方向に回転自在に連結されたピン５５とを具備しており、ケース本体５２は、チェーン４６の折り返し端部が貫通する開口５６を有している。
【００２９】
チェーン４６は、突部６１を有した複数のチェーン片６２と、各チェーン片６２の間に介在されていると共にチェーン片６２にピン６３を介してＲ１０方向に回転自在に連結されており、突部６１に接触自在な突部６４を有した複数のチェーン片６５とを具備しており、チェーン片６２及びチェーン片６５のピン６３を中心としたＲ１０方向の相対的な回転でチェーン片６２の突部６１の各側端面６６の当該側端面６６に対面するチェーン片６５の突部６４の各側端面６７への接触によりＨ２方向に不撓となる。
【００３０】
連結手段４８は、枠部３４の内側面７１にねじ７２を介して取付けられていると共に突起部７３を有した連結部材７４と、連結部材７４に固着されていると共にチェーン４６の一端部４４のチェーン片６２がＲ３及びＲ４方向に回転自在に連結されたピン７５とを具備しており、連結部材７４は、その突起部７３の先端下面への一端部４４のチェーン片６２の突部６１の一方の側端面の接触により当該一端部４４のチェーン片６２のそれ以上の回転を阻止して、一端部４４のチェーン片６２の垂直方向Ｖに対する角度θ（９０°）以上のＲ４方向における一方の方向の回転を制限している。
【００３１】
作動手段８は、支持板４２に固着されて支持されていると共に接近離反手段７を作動させる作動源としての電磁ブレーキ付きの直流電動モータ８１と、直流電動モータ８１を制御する制御手段８２と、直流電動モータ８１の出力回転軸に連結された減速歯車機構８３と、減速歯車機構８３の出力回転軸に連結されていると共ケース本体５２に玉軸受８４を介して回転自在に支持されている回転軸８５と、回転軸８５に固着されているウォームギヤ８６と、回転軸８５に対して直交して伸びていると共にケース本体５２に滑り軸受８７を介して回転自在に支持されている回転軸８８と、回転軸８８に固着されていると共にウォームギヤ８６に噛合うハスバギヤ８９と、回転軸８８に固着されていると共に一端部４４と他端部５４との間のチェーン４６の中間部において案内板５３により確保されて当該チェーン４６に噛み合うスプロケットホイール９０と、一端で回転軸８５に連結されていると共に枠部２４の内側面４１に沿って伸びた中空の回転伝達軸９１と、支持板４２に支持されていると共に入力回転軸に回転伝達軸９１の他端が連結されたベベルギヤユニット９２と、一端でベベルギヤユニット９２の出力回転軸に連結されていると共に枠部２１の内側面９３に沿って伸びた中空の回転伝達軸９４と、支持板４２に相当する支持板９８に支持されていると共に入力回転軸が回転伝達軸９４の他端に連結されたベベルギヤユニット９５と、べベルギヤユニット９５の出力回転軸に連結されていると共に回転軸８５に相当する回転軸９６と、ケース本体５２に相当すると共に枠部２３の内側面９７に支持板９８を介して固着されたケース本体９９内に夫々配されており、回転軸９６に固着されていると共にウォームギヤ８６に相当するウォームギヤ、回転軸８８に相当する回転軸、この回転軸に固着されているハスバギヤ８９に相当するハスバギヤ及び枠部３３側のチェーン４６の一端部４４と他端部５４との間の中間部において当該チェーン４６に噛み合うスプロケットホイール９０に相当するスプロケットホイールの夫々とを具備している。
【００３２】
直流電動モータ８１は、制御手段８２からの給電がない場合には、自動的に電磁ブレーキを動作させてその出力回転軸を回転しないように当該回転軸を制動する一方、制御手段８２から給電される場合には、自動的に電磁ブレーキの動作を解除してその出力回転軸を回転できるように当該回転軸の制動を解除すると共にその出力回転軸を回転させるようになっている。
【００３３】
制御手段８２は、建物２内に設置される手動操作可能なスイッチ等を具備した操作盤（図示せず）と、直流電動モータ８１の過電流を検出する検出手段（図示せず）と、スイッチ等の操作による操作盤からの開命令信号により直流電動モータ８１に給電を行う一方、操作盤からの閉命令信号により直流電動モータ８１への給電を停止し、更に、検出手段からの検出結果により直流電動モータ８１の作動を停止するべく直流電動モータ８１への給電を停止するようになっている給電回路（図示せず）とを具備している。
【００３４】
検出手段は、スプロケットホイール９０のＲ２方向の一方の方向の回転によるチェーン４６のケース本体５２からの繰り出し走行において、他端部５４でピン５５を引っ張ることによるチェーン４６のそれ以上の繰り出し走行ができないでスプロケットホイール９０のＲ２方向の一方の方向の回転ができない場合に生じる直流電動モータ８１の過電流を検出して天窓本体６による天窓開口４の完全開放を検出する一方、スプロケットホイール９０のＲ２方向の他方の方向の回転によるチェーン４６のケース本体５２内への収容走行において、封止手段１１を介する天窓本体６の天窓枠体５への接触によるそれ以上の収容走行ができないでスプロケットホイール９０のＲ２方向の他方の方向の回転ができない場合に生じる直流電動モータ８１の過電流を検出して天窓本体６による天窓開口４の完全閉鎖を検出するようになっている。
【００３５】
以上の作動手段８は、制御盤からの開命令信号での直流電動モータ８１への給電による減速歯車機構８３を介する回転軸８５の一方の回転で、一方では、ウォームギヤ８６及びハスバギヤ８９を介して回転軸８８を一方の方向に回転させ、斯かる回転軸８８の一方の回転でスプロケットホイール９０をＲ２方向の一方の方向に回転させ、他方では、回転伝達軸９１、ベベルギヤユニット９２、回転伝達軸９４及びベベルギヤユニット９５を介して回転軸９６を一方の方向に回転させ、斯かる回転軸９６の一方の回転で枠部２３側のスプロケットホイールを一方の方向に回転させ、而して、スプロケットホイール９０に噛み合ったチェーン４６及び枠部２３側のスプロケットホイールに噛み合ったチェーン４６の一端部４４と他端部５４との間の中間部において両チェーン４６の長手方向に当該チェーン４６に天窓本体６を押して天窓枠体５から天窓本体６を離反させる走行力を加えて、図１１及び図１２に示すように、天窓本体６を天窓開口４の完全開放位置にもたらし、直流電動モータ８１への給電による減速歯車機構８３を介する回転軸８５の他方の回転（逆回転）で、一方では、スプロケットホイール９０を他方の方向に回転させ、他方では、枠部２３側のスプロケットホイールを他方の方向に回転させ、而して、枠部２３側及び枠部２４側の夫々のチェーン４６の一端部４４と他端部５４との間の中間部において当該チェーン４６に天窓本体６を引っ張って天窓枠体５へ天窓本体６を接近させる走行力を与えて、図３に示すように、天窓本体６を天窓開口４の完全閉鎖位置にもたらすようになっており、各チェーン４６は、作動手段８から加えられる走行力によってその一端部４４で連結手段４８を介して天窓本体６を押して天窓枠体５から天窓本体６を離反させるように、一端部４４とスプロケットホイール９０及び枠部２３側のスプロケットホイールに噛み合う中間部との間で不撓状態に設定されるようになっている。
【００３６】
案内連結手段９は、一端部１０１では天窓枠体５の枠部２２の内側面１０２に、当該枠部２２の内側面１０２に固着された支持板１０３、支持板１０３に固着された軸支持部材１０４並びに支持板１０３及び軸支持部材１０４に支持された軸部材１０５を介してＲ５方向に回転自在に連結されると共に他端部１０６では天窓本体６の下枠２７の枠部３２の下面に、当該枠部３２の下面に取付けられているレール部材１０７、レール部材１０７にＨ３方向に直動自在に案内されて移動するローラ部材１０８及びローラ部材１０８を回転自在に支持した軸部材１０９を介してＨ３方向に直動自在であってＲ６方向に回動自在に連結されているアーム部材１１０と、一端部１１１では天窓枠体５の枠部２２の内側面１０２に、当該枠部２２の内側面１０２に固着された支持板１０３、支持板１０３に取付けられているレール部材１１２、レール部材１１２にＨ４方向に直動自在に案内されて移動するローラ部材１１３及びローラ部材１１３を回転自在に支持した軸部材１１４を介してＨ４方向に直動自在であってＲ４方向に回動自在に連結されていると共に他端部１１５では天窓本体６の下枠２７の枠部３２の下面に、当該枠部３２の下面に取付けられている軸支持部材１１６及び軸支持部材１１６に支持された軸部材１１７を介してＲ８方向に回転自在に連結されており、中間部１２１でアーム部材１１０の中間部１１８に軸部材１１９を介してＲ９方向に回転自在に連結されているアーム部材１２０とを具備している。
【００３７】
案内連結手段９においては、図１１に示すように、天窓本体６の天窓枠体５からの離反で、アーム部材１１０は、軸部材１０５を介して一端部１０１を中心に回転させると共にレール部材１０７に案内されるローラ部材１０８を介して他端部１０６を直動させて立ち上がり、アーム部材１２０も、レール部材１１２に案内されるローラ部材１１３を介して一端部１１１を直動させると共に軸部材１１７を介して他端部１１５を中心に回転させて立上がり、これらの立ち上がりを軸部材１１９を介するアーム部材１１０とアーム部材１２０との連結でもって同時的に行う一方、天窓本体６の天窓枠体５への接近で、アーム部材１１０及び１２０は、夫々が倒れるように上記と逆の動作を行い、而して、案内連結手段９は、天窓本体６の天窓枠体５からのＶ方向の離反及び接近をこれらの相互位置を保って案内するようになっている。
【００３８】
弾性力付与手段１０は、天窓本体６を天窓枠体５からＶ方向に離反させる弾性力を発生させるコイルばね１３１を具備している。
【００３９】
コイルばね１３１は、一方の端部１３２で、支持板１０３に固着された係止部材１３３に回転自在に連結されており、他方の端部１３４で、アーム部材１２０の一端部１１１と中間部１２１との間の部位に固着されたピン１３５に回転自在に連結されており、天窓開口４の全閉時（図３参照）に伸びた状態になるように設定されており、縮み方向の弾性力によりアーム部材１２０を軸部材１１７を中心としてＲ８方向に回転させるようにして、斯かるアーム部材１２０の回転を介し天窓本体６を天窓枠体５から離反させるようにしている。
【００４０】
封止手段１１は、下枠２７の下部１４１の下面に貼り付けた弾性を有する気密ゴム１４２と、天窓枠体５の上面１４３に貼り付けた受け部材１４４とを具備しており、天窓開口４の閉鎖において気密ゴム１４２を受け部材１４４に押し付けて気密ゴム１４２を弾性変形させて天窓枠体５及び天窓本体６の間の隙間の気密を確保し、而して、天窓開口４を完全に閉鎖するようになっている。
【００４１】
封止手段１１は、制御手段８２が直流電動モータ８１の過電流を検出して、この過電流の検出で直流電動モータ８１を停止させるようになっているために、天窓開口４の閉鎖における気密ゴム１４２の弾性変形を確実に生じさせることができ、而して、十分な気密性をもって天窓開口４の完全な閉鎖を行い得る。
【００４２】
互いに対向する一方の一対の枠部２１及び２２並びに互いに対向する他方の一対の枠部２３及び２４を有していると共に天窓開口４を囲繞する天窓枠体５と、天窓開口４を開閉するように天窓枠体５に対して天窓開口４に直交する方向に接近離反自在に配されると共に互いに対向する一対の枠部３３及び３４を有する天窓本体６と、長手方向に対して交差するＨ１方向に可撓であって長手方向に対して交差するＨ２方向に不撓であると共に一端部４４で天窓本体６の一対の枠部３３及び３４のうちの一方の枠部３３に連結されているチェーン４６及び長手方向に対して交差するＨ１方向に可撓であって長手方向に対して交差するＨ２方向に不撓であると共に一端部４４で天窓本体６の一対の枠部３３及び３４のうちの他方の枠部３４に連結されているチェーン４６を有していると共に天窓本体６を天窓枠体５に対して接近離反させる接近離反手段７と、両チェーン４６の一端部４４と他端部５４との間の中間部において当該両チェーン４６の長手方向に両チェーン４６に走行力を加えて、接近離反手段７による天窓枠体５に対する天窓本体６の接近離反を行わせるように接近離反手段７を作動させる作動手段８と、接近離反手段７による天窓枠体５に対する天窓本体６の接近離反を案内するように天窓枠体５及び天窓本体６に連結されている案内連結手段９とを具備しており、両チェーン４６は、作動手段８から加えられる走行力によって天窓本体６を押して天窓枠体５から天窓本体６を離反させるように、一端部４４と中間部との間で不撓状態に設定されるようになっており、作動手段８は、天窓枠体５の一方の一対の枠部２１及び２２のうちの一方の枠部２１に配された回転伝達軸９４と、回転伝達軸９４の一方の端部にベベルギヤユニット９２を介して一端部で連結されていると共に天窓枠体５の他方の一対の枠部２３及び２４のうちの一方の枠部２４に配された回転軸としての回転軸８５及び回転伝達軸９１と、回転伝達軸９４の他方の端部にベベルギヤユニット９５を介して一端部で連結されていると共に他方の一対の枠部２３及び２４のうちの他方の枠部２３に配された回転軸９６と、接近離反手段７を作動させる作動力を発生すると共に出力回転軸を有した作動源としての直流電動モータ８１と、両チェーン４６の夫々に噛み合う２つのスプロケットホイール９０とを具備しており、直流電動モータ８１の出力回転軸の回転で回転軸８５及び回転伝達軸９４並びに回転軸９６が回転されるようになっており、回転軸８５及び回転伝達軸９４並びに回転軸９６の回転による２つのスプロケットホイール９０の夫々の回転で両チェーン４６に走行力を加えるようになっている以上の天窓開閉装置１によれば、天窓枠体５が天窓本体６に対してＶ方向に接近離反するようになっているために、天窓開口４の開放において天窓枠体５と天窓本体６との間に方向性を有しない均等な隙間からなる通路を形成でき、斯かる通路を介して建物内から四方に排気できると共に四方から外気を建物内に取込める結果、風向きによる影響をそれ程受けないで換気又は排煙を行い得る上に、天窓本体６への大きな風圧の作用を低減できて大きな回転モーメントに起因する天窓本体６及びこれを支持する部材等の破損を防止し得る。
【００４３】
制御手段８２は、直流電動モータ８１の過電流を検出し、この検出結果により直流電動モータ８１の作動を停止するようになっているが、これに代えて又はこれと共に、例えばリミットスイッチのような天窓本体６の開放状態を検出する開放検出器及び天窓本体の閉鎖状態を検出する閉鎖検出器を有していてもよく、斯かるリミットスイッチを用いる場合でも、天窓開口４の閉鎖において、気密ゴム１４２に適度な弾性変形を生じさせて直流電動モータ８１を停止させるようにするとよい。
【図面の簡単な説明】
【００４４】
【図１】本発明の好ましい実施例の外観斜視説明図である。
【図２】図１に示す例の設置説明図である。
【図３】図１に示す例の断面説明図である。
【図４】図３に示すＩＶ−ＩＶ線矢視断面説明図である。
【図５】図３に示すＶ−Ｖ線矢視断面説明図である。
【図６】図１に示す例の断面説明図である。
【図７】図１に示す例の断面説明図である。
【図８】図１に示す例の接近離反手段の一部の拡大断面説明図である。
【図９】図１に示す例の接近離反手段の一部の図８及び図１０に示すＩＸ−ＩＸ線矢視断面説明図である。
【図１０】図１に示す例の接近離反手段の一部の図９に示すＸ−Ｘ線矢視断面説明図である。
【図１１】図１に示す例の動作説明図である。
【図１２】図１に示す例の動作説明図である。
【符号の説明】
【００４５】
１  天窓開閉装置
４  天窓開口
５  天窓枠体
６  天窓本体
７  接近離反手段
８  作動手段
９  案内連結手段
【図１】
0005292916.tif 000002
【図２】
0005292916.tif 000003
【図３】
0005292916.tif 000004
【図４】
0005292916.tif 000005
【図５】
0005292916.tif 000006
【図６】
0005292916.tif 000007
【図７】
0005292916.tif 000008
【図８】
0005292916.tif 000009
【図９】
0005292916.tif 000010
【図１０】
0005292916.tif 000011
【図１１】
0005292916.tif 000012
【図１２】
0005292916.tif 000013